(57)【要約】【課題】使用者に眩しさを感じさせることなく顔に影をでき難くするとともに、使用者が鏡本体に近づいた場合でも十分な明るさで顔を照らすことのできる鏡装置を提供する。【解決手段】鏡装置１は、少なくとも周縁部２０がハーフミラーとして構成された鏡本体２と、この鏡本体２の周縁部２０の裏側に、外側から内側に向かって複数列に並んで配設される発光パネル３Ａ，３Ｂと、鏡本体２と使用者Ｕとの間の距離を計測可能なセンサ６と、このセンサ６の計測した距離に応じて、発光パネル３Ａ，３Ｂの列ごとの点灯または消灯を行う制御部７とを備える。【選択図】図２
2008018058.tif 000002
【特許請求の範囲】
【請求項１】
少なくとも周縁部がハーフミラーとして構成された鏡本体と、この鏡本体の周縁部の裏側に、外側から内側に向かって複数列に並んで配設される発光パネルと、前記鏡本体と使用者との間の距離を計測可能なセンサと、このセンサの計測した距離に応じて、前記発光パネルの列ごとの点灯または消灯を行う制御部とを備えることを特徴とする鏡装置。
【請求項２】
前記鏡本体は、ガラス板と、このガラス板の裏面を覆う金属層とを有していて、前記金属層上に前記発光パネルが接合されており、
前記金属層は、前記発光パネルが接合される部分の厚みが光を透過可能な程度に設定されるとともに、それ以外の部分の厚みが前記発光パネルが接合される部分の厚みよりも大きく設定されたものであることを特徴とする請求項１に記載の鏡装置。
【請求項３】
前記発光パネルは、情報を表示可能な情報表示用発光パネルを含むことを特徴とする請求項１または２に記載の鏡装置。
【発明の詳細な説明】
【技術分野】
【０００１】
本発明は、照明機能を有した鏡装置に関するものである。
【背景技術】
【０００２】
従来、照明機能を有した鏡装置としては、例えば電球や蛍光灯等で使用者を照らすようにした鏡装置が知られている。
【０００３】
近年では、有機ＥＬ（Electro Luminescence）や無機ＥＬ等を利用した発光パネルを用いて使用者を照らすことが行われている。例えば特許文献１には、鏡本体をハーフミラーとするとともに、この鏡本体の裏面の中央部に発光パネルを配設し、発光パネルを発光させることにより鏡本体を介して使用者を照らすようにした鏡装置が記載されている。
【特許文献１】特開２００２−１９９９９５号公報
【発明の開示】
【発明が解決しようとする課題】
【０００４】
特許文献１の鏡装置のように、顔を正面から照らすと、顔に影ができ難くすることができるため、化粧等を良好に行うことができる。
【０００５】
しかしながら、特許文献１の鏡装置では、鏡本体の中央部から光が放射されるようになっているため、使用者は眩しさを感じ、鏡本体を凝視することができない。
【０００６】
そこで、使用者に眩しさを感じさせることなく顔に影をでき難くするには、発光パネルを鏡本体の裏面の周縁部に配置することも考えられるが、使用者が鏡本体に近づいたときには、顔に到達する光が減少するため、使用者の顔を十分な明るさで照らすことが難しい。
【０００７】
本発明は、このような事情に鑑み、使用者に眩しさを感じさせることなく顔に影をでき難くするとともに、使用者が鏡本体に近づいた場合でも十分な明るさで顔を照らすことのできる鏡装置を提供することを目的とする。
【課題を解決するための手段】
【０００８】
請求項１の発明は、少なくとも周縁部がハーフミラーとして構成された鏡本体と、この鏡本体の周縁部の裏側に、外側から内側に向かって複数列に並んで配設される発光パネルと、前記鏡本体と使用者との間の距離を計測可能なセンサと、このセンサの計測した距離に応じて、前記発光パネルの列ごとの点灯または消灯を行う制御部とを備えることを特徴とする鏡装置である。
【０００９】
請求項２の発明は、請求項１に記載の鏡装置において、前記鏡本体は、ガラス板と、このガラス板の裏面を覆う金属層とを有していて、前記金属層上に前記発光パネルが接合されており、前記金属層は、前記発光パネルが接合される部分の厚みが光を透過可能な程度に設定されるとともに、それ以外の部分の厚みが前記発光パネルが接合される部分の厚みよりも大きく設定されたものであることを特徴とするものである。
【００１０】
請求項３の発明は、請求項１または２に記載の鏡装置において、前記発光パネルは、情報を表示可能な情報表示用発光パネルを含むことを特徴とするものである。
【発明の効果】
【００１１】
請求項１の発明によれば、ハーフミラーとして構成された鏡本体の周縁部の裏側に発光パネルを配設したから、使用者が鏡本体の中央部に顔を対面させた状態で発光パネルを発光させれば、使用者の顔を鏡本体の周縁部から照らすことができ、顔に影をでき難くすることができる。また、鏡本体の中央部からは光が放射されないので、使用者は眩しさを感じることなく化粧等をすることができる。一方、発光パネルを発光させないときは、鏡本体の全面がミラーとなって発光パネルが見えなくなるため、良好な外観を保ったままで照明の機能を付加することができる。
【００１２】
さらに、本発明では、発光パネルが外側から内側に向かって複数列に並んで配設され、センサによって計測された使用者と鏡本体との間の距離に応じて発光パネルの列ごとの点灯または消灯が行われるようになっているので、例えば使用者が鏡本体に近づくに連れて内側の列の発光パネルを優先的に点灯するようにすれば、顔を近くから照らすことができるようになり、これにより使用者が鏡本体に近づいても十分な明るさで顔を照らすことができる。さらに、使用者が鏡本体から遠ざかるに連れて外側の列の発光パネルを優先的に点灯するようにすれば、使用者が鏡本体から遠ざかったときの使用者が感じる眩しさを低減させることができる。
【００１３】
請求項２の発明によれば、鏡本体の金属層の発光パネルが接合される部分以外の部分の厚みが大きく設定されているので、発光パネルが発光する際に発する熱が金属層に良好に伝達されるようになり、その熱を利用して鏡本体の防曇を図ることができる。
【００１４】
請求項３の発明によれば、情報を表示可能な情報表示用発光パネルが発光パネルに含まれるため、使用者は鏡本体に対面したままで、例えば温度や時刻等の情報を入手することが可能になる。
【発明を実施するための最良の形態】
【００１５】
以下、本発明を実施するための最良の形態について、図面を参照しながら詳細に説明する。
【００１６】
図１は、本発明の一実施形態に係る鏡装置１がフロントミラーに採用された三面鏡１０の正面図である。
【００１７】
鏡装置１は、使用者Ｕの上半身を映すことが可能な大きさを有する縦長長方形状の鏡本体２と、この鏡本体２の周縁部２０の裏側に配設される複数の発光パネル３Ａ，３Ｂとを有している。より詳しくは、発光パネル３Ａ，３Ｂは、図２に示すように、鏡本体２の周縁部２０のうち上辺部２ａおよび両側辺部２ｂに、外側から内側に向かって２列に並んで配設されていて、外側の発光パネル３Ａの列と内側の発光パネル３Ｂの列が共に正面視で下方に開口するコ字状をなしている。また、鏡本体２の裏側には、発光パネル３Ａ，３Ｂの裏側から鏡本体２を全面的に覆うように基台５が配設されている。
【００１８】
鏡本体２は、図３に示すように、ガラス板２２と、このガラス板２２の裏面を覆う金属層２１とを有している。金属層２１は、例えばガラス板２２の裏面にアルミが蒸着されて形成されたアルミ膜や銀鏡反応で形成された銀膜等である。
【００１９】
また、金属層２１における鏡本体２の周縁部２０のうち上辺部２ａおよび両側辺部２ｂとなる部分には、当該金属層２１の厚みが光を透過可能な程度（例えば５０ｎｍ）に薄く設定されていて、薄肉部２１ａが形成されている。一方、金属層２１の薄肉部２１ａで囲まれる部分の厚みは、薄肉部２１ａの厚みよりも大きく（例えば１５００〜３０００ｎｍに）設定されている。このため、鏡本体２の周縁部２０のうち上辺部２ａおよび両側辺部２ｂがハーフミラーとなっているとともに、鏡本体２の中央部および周縁部２０の下辺部２ｃが全反射ミラーとなっている。
【００２０】
さらに、金属層２１は、全面を透明の保護膜２３で覆われている。この保護膜２３は、薄肉部２１ａと発光パネル３Ａ，３Ｂとを接合するための接着層ともなっている。すなわち、有機塗料等を金属層２１の全面に塗布した後に、その上に発光パネル３Ａ，３Ｂを乗せて有機塗料等を硬化させれば、保護膜２３の形成および金属層２１と発光パネル３Ａ，３Ｂとの接合を同時に行うことができる。
【００２１】
各発光パネル３Ａ，３Ｂは、有機ＥＬを利用したものであり、正面から光を放射するようになっている。そして、発光パネル３Ａ，３Ｂから放射された光は、ハーフミラーとして構成された鏡本体２の周縁部２０を透過して鏡本体２の前方に放射される。
【００２２】
具体的には、発光パネル３Ａ，３Ｂは、図４および図５に示すように、正面視で矩形状をなしていて、基板３１と、この基板３１の裏面に積層された第１電極層３２、有機発光層３３および第２電極層３４からなる有機ＥＬ層と、この有機ＥＬ層を覆う第１封止部材３５および第２封止部材３６とを備えている。すなわち、基板３１の正面が発光パネル３Ａ，３Ｂの正面を構成している。
【００２３】
基板３１は、前記有機ＥＬ層を支持するための平板状の部材であり、有機発光層３３で発光する光の波長に対して透明な材料、例えばガラス等からなる。
【００２４】
第１電極層３２は、有機発光層３３で発光する光の波長に対して透明な材料からなる導電性の薄膜であり、陽極となる。第１電極層３２は、有機発光層３３が可視光を発光するので、例えばＩＴＯ（Indium Tin Oxide）等で形成される。第１電極層３２は、その一部が基板３１の一方端側に第１封止部材３５から露出するように引き出されて陽極端子部３２１を形成している。
【００２５】
有機発光層３３は、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極層３２および第２電極層３４も記載すると、例えば以下の層構造である。
（１）（第１電極層３２；陽極）／発光層／（第２電極層３４；陰極）
（２）（第１電極層３２；陽極）／正孔輸送層／発光層／（第２電極層３４；陰極）
（３）（第１電極層３２；陽極）／発光層／電子輸送層／（第２電極層３４；陰極）
（４）（第１電極層３２；陽極）／正孔輸送層／発光層／電子輸送層／（第２電極層３４；陰極）
（５）（第１電極層３２；陽極）／正孔注入層／正孔輸送層／発光層／電子輸送層／電子注入層／（第２電極層３４；陰極）
第２電極層３４は、有機発光層３３で発光する波長の光を反射する材料からなる導電性の薄膜であり、陰極となる。第２電極層３４は、例えばアルミニウム（Ａｌ）、アルミリチウム（Ａｌ：Ｌｉ）およびマグネシウム銀（Ｍｇ：Ａｇ）等の金属や合金等で形成される。第２電極層３４は、その一部が基板３１の一方端側に対向する他方端側に第１封止部材３５から露出するように引き出されて陰極端子部３４１を形成している。
【００２６】
第１封止部材３５および第２封止部材３６は、基板３１と協同して有機発光層３３を気密に封止するための絶縁性の部材である。例えば接着性を有する樹脂製の第１封止部材３５が、陽極端子部３２１を除く第１電極層３２、有機発光層３３および陰極端子部３４１を除く第２電極層３４を覆うように塗布され、例えばガラス製の板状部材からなる第２封止部材３６が、第１封止部材３５を介して第２電極層３４上に載せられて圧力が加えられることによって、第２封止部材３６が第１封止部材３５によって第２電極層３４に接着されると共に、第２封止部材３６の周縁部が第１封止部材３５によって基板３１に気密に接着して接合される。これによって第１封止部材３５および第２封止部材３６は、基板３１と協同して有機発光層３３を気密に封止する。
【００２７】
外側の列の発光パネル３Ａおよび内側の列の発光パネル３Ｂは、図略の配線材により列ごとに直列または並列に電気的に接続されている。また、外側の列の発光パネル３Ａの１つおよび内側の列の発光パネル３Ｂの１つには、端部にコネクタを有する給電用ケーブル３８がそれぞれ設けられていて、列ごとの給電が可能となっている。この給電用ケーブル３８は、図略の配線材によって制御部７に接続されている。
【００２８】
また、外側の列の右上に配置される発光パネル３Ａには、例えば温度や時刻等の情報を表示可能な情報表示用発光パネル４が組み込まれている。この情報表示用発光パネル４も図略の配線材によって制御部７に接続されている。
【００２９】
基台５は、鏡本体２を支持するためのものであり、合成樹脂や木材等で構成され、鏡本体２よりも少し上方に張り出す大きさを有している。そして、基台５の張出部分には、センサ６が設けられている。
【００３０】
センサ６は、鏡本体２と使用者Ｕとの間の距離を計測可能なものであり、例えば松下電工社製のEKL3101K等が採用可能である。そして、センサ６で計測された計測距離は、無線または有線で制御部７に送信される。
【００３１】
制御部７は、マイコン、平滑回路、可変抵抗等を有し、センサ６の計測した距離に応じて発光パネル３Ａ，３Ｂの列ごとの点灯または消灯を行うものである。具体的には、制御部７には、使用者Ｕが鏡装置１を使用する意思があると考えられる第１設定距離（例えば１ｍ）と、使用者Ｕが鏡装置１に接近したと考えられる第２設定距離（例えば２０ｃｍ）とが設定されている。そして、制御部７は、以下のような制御を行う。
【００３２】
まず、発光パネル３Ａ，３Ｂが全て消灯している状態で、使用者Ｕが鏡本体２に近づき、計測距離が第１設定距離以下となった場合には、制御部７は、外側の列の発光パネル３Ａのみを点灯させる。次に、使用者Ｕがさらに鏡本体２に近づき、計測距離が第２設定距離以下となった場合には、制御部７は、内側の列の発光パネル３Ｂを点灯させて、発光面積を増大させる。
【００３３】
一方、使用者Ｕが鏡本体２から遠ざかり、測定距離が第２設定距離よりも大きくなった場合には、制御部７は、内側の列の発光パネル３Ｂを消灯させて、発光面積を減少させる。使用者Ｕが鏡本体２からさらに遠ざかり、測定距離が第１設定距離よりも大きくなった場合には、制御部７は、外側の列の発光パネル３Ａも消灯させる。
【００３４】
本実施形態の鏡装置１では、ハーフミラーとして構成された鏡本体２の周縁部２０の裏側に発光パネル３Ａ，３Ｂを配設したから、使用者Ｕが鏡本体２の中央部に顔を対面させた状態で発光パネル３Ａ，３Ｂを発光させれば、使用者Ｕの顔を鏡本体２の周縁部２０から照らすことができ、顔に影をでき難くすることができる。また、鏡本体２の中央部からは光が放射されないので、使用者Ｕは眩しさを感じることなく化粧等をすることができる。一方、発光パネル３Ａ，３Ｂを発光させないときは、鏡本体２の全面がミラーとなって発光パネル３Ａ，３Ｂが見えなくなるため、良好な外観を保ったままで照明の機能を付加することができる。
【００３５】
さらに、本実施形態の鏡装置１では、発光パネル３Ａ，３Ｂが外側から内側に向かって２列に並んで配設され、センサ６によって計測された使用者Ｕと鏡本体２との間の計測距離が第２設定距離以下となったときに内側の列の発光パネル３Ｂが点灯するようになっているので、使用者Ｕが鏡本体２に近づいたときには顔を近くから照らすことができるようになり、これにより使用者Ｕが鏡本体２に近づいても十分な明るさで顔を照らすことができる。そして、このように輝度を変えずに発光面積を増大させることで顔を近くから照らすことを可能としているので、使用者Ｕが鏡本体２に近づいても使用者Ｕに眩しさを感じさせることを抑制することができる。さらに、計測距離が第２設定距離よりも大きくなったときに内側の列の発光パネル３Ｂが消灯するようになっているので、使用者Ｕが鏡本体２から遠ざかったときの使用者Ｕが感じる眩しさを低減させることができる。
【００３６】
また、鏡本体２の金属層２１の発光パネル３Ａ，３Ｂが接合される部分の厚みが小さく、かつ、それ以外の部分の厚みが大きく設定されているので、発光パネル３Ａ，３Ｂが発光する際に発する熱が金属層２１に良好に伝達されるようになり、その熱を利用して鏡本体２の防曇を図ることができる。
【００３７】
さらには、外側の列の右上に配置される発光パネル３Ａには、情報を表示可能な情報表示用発光パネル４が組み込まれているため、使用者Ｕは鏡本体２に対面したままで、温度や時刻等の情報を入手することが可能になる。
【００３８】
なお、前記実施形態では、計測距離が第２設定距離以下となった場合には、外側の列の発光パネル３Ａを点灯させた状態のままで内側の列の発光パネル３Ｂを点灯させるようにしているが、計測距離が第２設定距離以下となった場合には、外側の列の発光パネル３Ａを消灯させて内側の列の発光パネル３Ｂのみを点灯させるようにしてもよい。このようにしても、顔を近くから照らすことができるようになる。
【００３９】
また、発光パネルは、外側から内側に向かって３列以上並んで配設されていてもよい。この場合には、使用者Ｕが鏡本体２に近づくに連れて、外側の列の発光パネルから順番に点灯するようにして内側の列の発光パネルを優先的に点灯するようにするとともに、使用者Ｕが鏡本体２から遠ざかるに連れて、内側の列の発光パネルから順番に消灯するようにして外側の列の発光パネルを優先的に点灯するようにすればよい。
【００４０】
さらに、前記実施形態では、発光パネル３Ａ，３Ｂは、有機ＥＬを利用したものであったが、発光パネル３Ａ，３Ｂは、無機ＥＬを利用したものであってもよい。
【００４１】
また、発光パネル３Ａ，３Ｂへの給電方法は適宜選定可能であり、例えば基台５に導電線を仕込んでおいて、基台５から給電するようにしてもよい。
【００４２】
さらに、鏡本体２の周縁部２０の全ての部分がハーフミラーとなっていて、発光パネル３Ａ，３Ｂが正面視でロ字状を形成するように配設されていてもよい。
【００４３】
また、鏡本体２は、金属層２１の厚みが全面に亘って薄く設定されていて、全面がハーフミラーとして構成されたものであってもよい。ただし、前記実施形態のようになっていれば、上述したように発光パネル３Ａ，３Ｂの発熱を利用して防曇を図ることができる。
【００４４】
さらに、鏡本体２の形状は、縦長長方形状に限らず、例えば多角形状、円形状、楕円状等であってもよい。
【００４５】
さらには、鏡装置１は、三面鏡１０のフロントミラーだけでなく、サイドミラーにも採用可能である。この場合には、図１中に破線で示すように、発光パネル３Ａ，３Ｂを鏡本体２の周縁部２０のうち上辺部２ａおよび一方の側辺部２ｂに配設するようにしてもよい。
【図面の簡単な説明】
【００４６】
【図１】本発明の一実施形態に係る鏡装置が組み込まれた三面鏡の正面図である。
【図２】鏡装置の斜視図である。
【図３】鏡装置の要部を拡大した分解断面図である。
【図４】発光パネルの背面図である。
【図５】図４のＶ−Ｖ線断面図である。
【符号の説明】
【００４７】
１    鏡装置
２    鏡本体
２０  周縁部
２１  金属層
２２  ガラス板
３Ａ，３Ｂ  発光パネル
４    情報表示用発光パネル
６    センサ
７    制御部
【図１】
2008018058.tif 000003
【図２】
2008018058.tif 000004
【図３】
2008018058.tif 000005
【図４】
2008018058.tif 000006
【図５】
2008018058.tif 000007